(57)【特許請求の範囲】
【請求項１】
昇降可能なスプレッダ本体と、スプレッダ本体に旋動可能に設けられてコンテナの掛止穴に挿入されて掛止されるツイストロックと、スプレッダ本体の四隅で下方に突出しコンテナ上面に当合し着床し得る着床部の下面に設けられてコンテナの掛止穴付近に付着した雪氷を破砕し得る錐体とを具備している事を特徴とするコンテナスプレッダ。
【請求項２】
錐体は、スプレッダ本体の着床部に昇降可能に設けられた検出ロッドの下面に更に設けられている請求項１に記載のコンテナスプレッダ。
【請求項３】
錐体は、尖端が下向きの円錐状を呈している請求項１又は２に記載のコンテナスプレッダ。
【請求項４】
錐体は、スプレッダ本体の着床部の下面に対して着脱可能に設けられている請求項１に記載のコンテナスプレッダ。
【請求項５】
錐体は、検出ロッドの下面に対して着脱可能に設けられている請求項２に記載のコンテナスプレッダ。
【請求項６】
錐体は、スプレッダ本体の着床部の下面に昇降可能に螺合されている、請求項４に記載のコンテナスプレッダ。
【請求項７】
錐体は、検出ロッドの下面に昇降可能に螺合されている、請求項５に記載のコンテナスプレッダ。
【発明の詳細な説明】
【技術分野】
【０００１】
本発明は、例えばコンテナキャリアやコンテナ吊り上げ機械等の港湾荷役機械に適用されてコンテナを吊り上げる際に用いられ、とりわけコンテナの掛止穴付近に積もった雪やこれが凍って付着した氷等の所謂雪氷を除去し得るコンテナスプレッダの改良に関する。
【背景技術】
【０００２】
従来、この種のコンテナスプレッダとしては、例えば特許文献１に記載されたものが知られている。
当該コンテナスプレッダは、基本的には、昇降可能なスプレッダ本体と、スプレッダ本体に旋動可能に設けられてコンテナの掛止穴に挿入されて掛止されるツイストロックと、スプレッダ本体に設けられてコンテナの掛止穴付近に積もった雪を除去し得る積雪除去装置とから構成されて居り、積雪除去装置は、積雪を除去し得る回転ブラシと、回転ブラシを回転させる回転駆動手段と、回転ブラシをツイストロックの下方に位置する除去位置からツイストロックと掛止穴との掛合に支障がない回避位置まで移動させる移動手段とを備えている。
【０００３】
コンテナスプレッダは、この他に、スプレッダ本体がコンテナに着床した事を検出する着床検出器と、ツイストロックを所定角度だけ旋動させてロック位置になった事を検出するロック検出器と、ツイストロックを所定角度だけ旋動させてアンロック位置になった事を検出するアンロック検出器等を備えている。
【０００４】
而して、この様なものは、積雪除去装置を備えているので、コンテナ上に積もった雪を除去して安全且つ確実にコンテナを吊上げる事ができる。
【先行技術文献】
【特許文献】
【０００５】
【特許文献１】特開２００７−７６７６６号公報
【発明の概要】
【発明が解決しようとする課題】
【０００６】
ところが、従来のものは、積雪除去装置を備えているものの、これは、回転ブラシと回転駆動手段と移動手段とから成る所謂回転ブラシ式であったので、除去専用の駆動源が必要であると共に、コンテナスプレッダの操作とは別の除去操作を行わねばならなかった。この為、構造が複雑化してコスト高になると共に、オペレータの操作負担が大きかった。
加えて、従来のものは、コンテナ上に単に積もった雪を除去できるものの、例えば積もった雪が融けて凍る事に依りコンテナ上に付着した雪や氷等の所謂雪氷を簡単且つ短時間に除去する事が難しかった。
【０００７】
本発明は、叙上の問題点に鑑み、これを解消する為に創案されたもので、その課題とする処は、除去専用の駆動源を必要とせず、それでいてコンテナ上に付着した雪氷を簡単且つ短時間で除去できる様にしたコンテナスプレッダを提供するにある。
【課題を解決するための手段】
【０００８】
本発明のコンテナスプレッダは、基本的には、昇降可能なスプレッダ本体と、スプレッダ本体に旋動可能に設けられてコンテナの掛止穴に挿入されて掛止されるツイストロックと、スプレッダ本体に設けられてコンテナの掛止穴付近に付着した雪氷を破砕し得る錐体とを具備している事に特徴が存する。
【０００９】
スプレッダ本体が昇降されてコンテナに対して着床と離床が適数回繰り返されると、スプレッダ本体に設けられた錐体に依りコンテナの掛止穴付近に付着された雪氷が破砕されて除去される。
雪氷が除去されると、スプレッダ本体がコンテナ上に適正に着床されてツイストロックがコンテナの掛止穴に挿入されると共に、所定角度だけ旋動されてロック位置にされ、スプレッダ本体がコンテナに装着される。
スプレッダ本体がコンテナに装着されると、スプレッダ本体が上昇されてコンテナが吊上げられる。
【００１０】
スプレッダ本体の昇降運動を利用して雪氷を除去する様にしたので、除去専用の駆動源が不要になる。その結果、構造の簡単化とコストの低減を図る事ができる。
スプレッダ本体の昇降運動を利用して雪氷を除去する様にしたので、コンテナスプレッダの操作と除去操作とを統一できる。その結果、オペレータの操作負担を軽減できる。
スプレッダ本体に錐体を設けるだけであるので、構造が極めて簡単であると共に、コストも余り掛からない。
【００１１】
錐体は、スプレッダ本体の着床部の下面に設けられていると共に、スプレッダ本体に昇降可能な検出ロッドの下面に設けられているのが好ましい。この様にすれば、スプレッダ本体の着床部の下面と検出ロッドの下面に夫々対向するコンテナの掛止穴付近の上面に付着した雪氷を錐体に依り破砕して除去する事ができる。
【００１２】
錐体は、尖端が下向きの円錐状を呈しているのが好ましい。この様にすれば、錐体の底面を上にしてスプレッダ本体の下面に当合させて垂設する事ができ、極めて丈夫で雪氷に対して破砕力が大きい錐体にする事ができる。
【００１３】
錐体は、スプレッダ本体に対して着脱可能に設けられているのが好ましい。この様にすれば、錐体が損耗した場合には、新規なものに容易に交換できると共に、冬季以外の雪氷が付着しない時期には、取外して置く事もできる。
【００１４】
錐体は、スプレッダ本体に対して昇降可能に螺合されているのが好ましい。この様にすれば、錐体を螺動させてスプレッダ本体に対して昇降させる事に依り下突量を調整する事ができ、雪氷の厚さ等に容易に対応する事ができる。
【発明の効果】
【００１５】
本発明に依れば、次の様な優れた効果を奏する事ができる。
（１）  スプレッダ本体、ツイストロック、錐体とで構成し、とりわけ、スプレッダ本体にコンテナの掛止穴付近に付着した雪氷を破砕し得る錐体を設けたので、除去専用の駆動源を必要とせず、それでいてコンテナ上に付着した雪氷を簡単且つ短時間で除去できる。
（２）  スプレッダ本体にコンテナの掛止穴付近に付着した雪氷を破砕し得る錐体を設けるだけなので、構造が頗る簡単で、コストも余り掛からず、直ちに実施する事ができると共に、既存のものへも容易に適用できる。
【図面の簡単な説明】
【００１６】
【図１】本発明の第一例に係るコンテナスプレッダを示す側面図。
【図２】図１の要部拡大側面図。
【図３】本発明の第二例に係るコンテナスプレッダを示す要部拡大側面図。
【発明を実施するための形態】
【００１７】
以下、本発明の実施の形態を、図面に基づいて説明する。
図１及び図２に於て、コンテナスプレッダ１は、スプレッダ本体２、ツイストロック３、錐体４とからその主要部が構成されて居り、コンテナキャリアやコンテナ吊り上げ機械等の港湾荷役機械に適用される。
【００１８】
スプレッダ本体２は、昇降可能なもので、この例では、コンテナＡの大きさに呼応した四枠状を呈し、四隅には下方に突出してコンテナＡの上面に当合して着床し得る着床部５を備えて居り、図略しているが、コンテナスキャリアやコンテナ吊り上げ機械等の車体に設けられたリフトシリンダやウインチに依りチェーンやワイヤを介して昇降される様になっている。
【００１９】
コンテナＡは、直方体状を呈し、上側の四隅には、ツイストロック３が挿入されて掛止される掛止穴Ｂを備えている。
【００２０】
ツイストロック３は、スプレッダ本体２に設けられてコンテナＡの掛止穴Ｂに挿入されて掛止されるもので、この例では、茸状を呈し、スプレッダ本体２の着床部５から下方へ突出すべくこれに縦軸廻りに旋動可能に設けられて居り、ツイストロックシリンダ６に依りリンク機構７を介してアンロック位置からロック位置まで略９０度だけ旋動される様になっている。
【００２１】
而して、スプレッダ本体２には、スプレッダ本体２がコンテナＡに当合して着床した事を検出する着床検出器８と、図略しているが、ツイストロック３がロック位置になった事を検出するロック検出器と、ツイストロック３がアンロック位置になった事を検出するアンロック検出器とが設けられている。
【００２２】
着床検出器８は、スプレッダ本体２に設けられてスプレッダ本体２の着床部５がコンテナＡに当合して着床した事を検出するもので、この例では、ツイストロック３の近傍にこれと同数（四つ）だけ設けられて居り、スプレッダ本体２の着床部５に昇降可能に設けられてその下端がコンテナＡの上面に当合し得る検出ロッド９と、スプレッダ本体２に設けられて検出ロッド９を常時下方に付勢する弾性体１０と、検出ロッド９に設けられたドッグ（ターゲット）１１と、スプレッダ本体２に設けられて検出ロッド９がコンテナＡに当合してドッグ１１が着床位置になった時に作動する着床スイッチ（図示せず）とから構成されている。
【００２３】
検出ロッド６は、スプレッダ本体２の上下に離間したプレート１２を貫通して昇降可能に設けられていると共に、上部の雄螺子にはロックナット１３が螺合されてスプレッダ本体２からの下突長さを調節できる様にしてある。
弾性体１０は、圧縮型のコイルスプリングにしてあり、スプレッダ本体２の上側プレート１２とドッグ１１との間の検出ロッド６に遊嵌されている。
ドッグ１１は、環状を呈し、検出ロッド６の中程に嵌挿固定されている。
着床スイッチは、近接スイッチにしてあり、スプレッダ本体２の下側プレート１２に取付けられた略Ｌ型のブラケット１４の垂直片に設けられている。
【００２４】
錐体４は、スプレッダ本体２に設けられてコンテナＡの掛止穴Ｂ付近に付着した雪氷Ｃを破砕し得るもので、この例では、スプレッダ本体２の着床部５の下面に設けられていると共に、スプレッダ本体２に昇降可能な検出ロッド９の下面に設けられている。
錐体４は、尖端が下向きの円錐状を呈し、ツイストロック３の近傍に設けられて居り、これを除くスプレッダ本体２の着床部５の下面や検出ロッド９の下面に設けられている。つまり、錐体４の底面が上向きにされて、この底面がスプレッダ本体２の着床部５の下面や検出ロッド９の下面に当合されて溶接等で固着される事に依り垂設されている。
【００２５】
次に、この様な構成に基づいてその作用を述解する。
図１は、スプレッダ本体２がコンテナＡの上方に所定距離だけ離間して位置された着床前の状態を示している。
この様な状態から、スプレッダ本体２が昇降されてコンテナＡに対して着床と離床が適数回繰り返されると、スプレッダ本体２に設けられた錐体４に依りコンテナＡの掛止穴Ｂ付近に付着された雪氷Ｃが破砕されて除去される。
【００２６】
雪氷Ｃが除去されると、スプレッダ本体２がコンテナＡ上に適正に着床されてツイストロック３がコンテナＡの掛止穴Ｂに挿入されると共に、所定角度だけ旋動されてロック位置にされ、スプレッダ本体２がコンテナＡに装着される。
スプレッダ本体２がコンテナＡに装着されると、スプレッダ本体２が上昇されてコンテナＡが吊上げられる。
【００２７】
次に、本発明の第二例を図３に基づいて説明する。
第二例は、錐体４をスプレッタ本体２に対して昇降可能に螺合に依り着脱可能に設けた点が、第一例と異なる。
つまり、錐体４は、底面側に雄螺子１５を備えて居り、スプレッダ本体２の着床部５の下部や検出ロッド９の下部に形成した螺孔１６に螺合されている。
【００２８】
この様にすれば、錐体４が損耗した場合には、新規なものに容易に交換できると共に、冬季以外の雪氷が付着しない時期には、錐体４を取外して置く事もできる。
加えて、錐体４を螺動させてスプレッダ本体２に対して昇降させる事に依り下突量を調整する事ができ、雪氷Ｃの厚さ等に容易に対応する事ができる。
【００２９】
尚、錐体４は、先の例では、円錐状であったが、これに限らず、例えば角錐状や截頭錐状や各種のドライバ先端形状と同様のものでも良い。
錐体４は、先の例では、スプレッダ本体２の着床部５の下面と検出ロッド９の下面とに夫々一つづつ設けたが、これに限らず、例えば何れか一方だけに設けたり、複数づつ設けても良い。
【符号の説明】
【００３０】
１…コンテナスプレッダ、２…スプレッダ本体、３…ツイストロック、４…錐体、５…着床部、６…ツイストシリンダ、７…リンク機構、８…着床検出器、９…検出ロッド、１０…弾性体、１１…ドッグ、１２…プレート、１３…ロックナット、１４…ブラケット、１５…雄螺子、１６…螺孔、Ａ…コンテナ、Ｂ…掛止穴、Ｃ…雪氷。
【図１】
0005773481.tif 000002
【図２】
0005773481.tif 000003
【図３】
0005773481.tif 000004